(57)【要約】　　　（修正有）【課題】日本酒等液体の入った一升瓶６本入りンボール箱の底面、また側面下部を確実に、簡単な方法で保護して、ダンボール箱及び内部の瓶の破損を防止、その使用後においては容易にリサイクルまたは廃棄が行える緩衝用のはかま状ダンボール製かぶせ箱を提供する。【解決手段】組立、管理保管を容易にするため、ダンボールの一体成形で構成される。構造としては、長辺側、短辺側フラップをそれぞれ内側へ折り返し、先端部を階段状に折り込むことによって構成される中空上げ底を組み合わせて、一升瓶６本入ダンボールの重量を支えうる強度の緩衝空間を持つ上げ底部分を構成するものである。この折り込みにより同時に側壁部はすべて２枚重ねの構造となり緩衝性を向上させ、さらに側壁部に設けた折り込み部で箱内寸法を調整することにより、多少サイズの異なる被包装物にも対応する。【選択図】図４
0003098852.tif 000002
【実用新案登録請求の範囲】
【請求項１】
長辺側、短辺側それぞれ左右対象の、接地面から約３０ミリの中空部分を有する上げ底部分で一升瓶６本が入ったダンボール箱を支え、搬送または移動中に地面に急激に下ろした際などに生ずる下からの衝撃を中空部分で
吸収し、中の一升瓶底部が破損することを防ぐ構造のかぶせ箱。
【請求項２】
四方の約１５０ミリの側壁をすべてダンボール板２枚で構成し、これにより請求項１記載の底面保護に加え側面からの衝撃も緩和して瓶下部を保護
する構造のかぶせ箱。
【請求項３】
内寸を一般的な一升瓶６本入りダンボールの縦横寸法に近い寸法として被収納物と当該かぶせ箱との側壁同士が密着するようにし、これにより粘着テープなどで固定しなくても被収納物を持ち上げた際等に容易に落下しな
い構造のかぶせ箱。
【請求項４】
当該かぶせ箱より底面積の小さい一升瓶６本入りダンボール箱を収納する際、四方の約１５０ミリの側壁すべてに設けた幅７３ミリの折り込み部分のいずれか、または４枚すべてを箱内部に折り込んで、この折り込み部分の厚みと反発力によって被収納物を支えることにより、粘着テープなどで固定しなくても被収納物を持ち上げた際等に容易に落下しない構造のかぶ
せ箱。
【請求項５】
請求項１から請求項４までの特徴を、粘着テープによる固定、別パーツの使用などに依ることなく１枚のダンボール板で一体成形として実現した構
造のかぶせ箱。
【考案の詳細な説明】
【０００１】
【産業上の利用分野】
本考案は業務用などに使用される、一升瓶が６本入ったダンボール箱を搬送する際の破損防止に関するものである。
【０００２】
【従来の技術】
一般に日本酒等液体の入った一升瓶を６本収納するダンボール箱は、搬送時１６ｋｇ前後の重量になるため、これの搬送時においてしばしば発生する破損を防ぐために現在ダブル構造のダンボール基材を使用したり、さらに底面部を２枚重ねになるよう設計するなど強化につとめているが、余り効果が見られないのが現状である。
【０００３】
【考案が解決しようとする課題】
上記物品の搬送時、地面に置く際などにその重さにより思った以上に加速がつき、そのまま地面に当たる際の衝撃でしばしば内容物の瓶の底部が割れることがあり、こういった事態に際しては従来の構造では強度、緩衝力ともに不充分であった。
【０００４】
しかし斯かる事態を想定した箱底面を保護する技術はこれまで特になく、一部の運送会社や酒販売店においては、箱から瓶を一度取り出し、箱の底部分にクッション材を敷いた上で瓶を入れ直したり、箱外側下部にクッション材を巻いたりして底面の保護を図っていたが、いずれも相当に手間がかかり、かつ使用後のクッション材の廃棄が不用意にできないという欠点があった。
【０００５】
本考案は斯様な事情を考慮してなされたもので、その目的とするところは重量のかかる一升瓶６本入りのダンボール箱底面また側面下部を確実に、かつ簡単な方法で保護し、使用後においては容易にリサイクルまたは廃棄が行える緩衝用のはかま状かぶせ箱を提供することにある。
【０００６】
【課題を解決するための技術】
前項に記載した目的を達成するために、まず第一に本考案はダンボールの一体成形とした。構造としては長辺側フラップを折り返し、先端部を階段状に折り込むことによって構成される長辺側中空上げ底一対、短辺側フラップを長辺側とほぼ同様に折り込むことによって構成される短辺側中空上げ底一対からなり、短辺側中空上げ底の先端を長辺側中空上げ底に開けたスリットに差し込むことにより長辺側、短辺側ともに上げ底部分を安定させ強度を保つ。
またフラップを折り返したことによって側壁部はすべて２枚重ねの構造となり、さらに側壁頂部に入れた７３ミリ間隔の切り込みによって構成された折り込み部分を折り返すことにより、当該かぶせ箱より小さい底面積の一升瓶６本入りダンボール箱でも粘着テープ等を使わず固定できる構造とした。
【０００７】
【実施例】
以下に本考案によるかぶせ箱の実施例を、図面に基づいて説明する。
【０００８】
図１は、本考案によるかぶせ箱の展開図である。本考案のかぶせ箱は、底面０の斜線部を底面００に、箱全体を中心の縦折れ線で半折し、糊付け部９を反対側の側壁面６に糊付けする事により保管・運搬に適した扁平状態になる。この時の底面は、公知の技術であるワンタッチ底箱の状態である。
【０００９】
図２は扁平状態にしたかぶせ箱を立方体に起こした状態を示したものである。この状態から長辺側フラップ２〜５の折罫線Ｋ１を谷折り、Ｋ２を山折り、Ｋ４を谷折りにした状態でＫ０を箱内部へ折り返して底面でフラップ先端同士を付け合わせて図３の状態にする。
【００１０】
次に短辺側フラップ７〜１０の折罫線Ｋ５を山折り、Ｋ６を谷折り、Ｋ７を山折りにして図６の状態にする。
【００１１】
次に短辺側フラップ７〜１０の折罫線Ｋ５を山折り、Ｋ６を谷折り、Ｋ７を山折りにして図６の状態にする。
【００１２】
このままＫ５を完全に折り返し、差込部１０を切抜部Ｎに差し込んだ状態が図３である。これにより中空上げ底形成壁３と４が固定され、かぶせ箱が完成する。
【００１３】
完成状態のかぶせ箱に、図５の様に被包装物１２を収納する。被包装物の下３分の１から４分の１がかぶせ箱に収まる。
【００１４】
これで本かぶせ箱は被包装物との密着により固定され使用状態となるが、被包装物の寸法は製造メーカーにより若干の差異があるため、本かぶせ箱はその中でも大きめのものにあわせて縦横寸法を設定するべきである。
【００１５】
しかしそうなると縦横寸法が小さめのものについては、かぶせ箱との間に隙間が生じて、使用中にかぶせ箱が被包装物から外れ落ちてしまう等の不都合が起きることが考えられる。
【００１６】
そのためそのような被包装物に使用する際は、図６の様に折り込み部１１を内側へ折り返してかぶせ箱と被包装物の隙間を埋めた状態で、図７の様に被包装物１２を収納する。これにより密着不足を補って固定する。
【００１７】
【作用】
本考案によるかぶせ箱は、一升瓶６本入りのダンボール箱に袴をはかせる格好で使用する。これにより前項記載の中空上げ底部分が下方からの衝撃を、また２枚重ねの側壁面が下部側面からの衝撃を吸収し、被包装物に収納されている一升瓶の破損を防止する。
【００１８】
また、側壁面もしくは側壁面に設けた折り込み部分が被包装物に密着、粘着テープ等を使用することなく安定した収納状態を維持することができ、かつ使用後の取り外しも容易である。
【００１９】
一体成形のダンボール板で構成することにより、複数の部材を組み合わせるなどの複雑な作業をすることなく簡便に組立ができ、また使用後のリサイクルまたは廃棄も容易に行える。
【００２０】
【図面の簡単な説明】
【図１】本考案によるかぶせ箱の展開図。
【図２】図１に示すかぶせ箱を扁平状態から立方体に起こした状態の斜視図。
【図３】図２から長辺側フラップを組み立てた状態を上面から見た図。
【図４】図３から短辺側フラップを組み立て、完成した状態を上面から見た図。
【図５】被包装物を完成したかぶせ箱に収める状態の斜視図。
【図６】四方側面に設けた折り込み部分を折り込む様子を示す斜視図。
【図７】被包装物を図６の状態のかぶせ箱に収める状態の斜視図。
【００２１】
【符号の説明】
１．長辺側側壁面外側
２．長辺側側壁面内側
３．長辺側中空上げ底形成壁上面
４．長辺側中空上げ底形成壁縦面
５．長辺側中空上げ底形成壁底面
６．短辺側側壁面外側
７．短辺側側壁面内側
８．短辺側中空上げ底形成壁上面
９．糊付け部
１０．差込部
１１．折り込み部
１２．被包装物
０〜００．本体底面
Ｋ０〜Ｋ４．折罫線
Ｓ０〜Ｓ１．切込線
Ｎ．切抜部
【図１】
0003098852.tif 000003
【図２】
0003098852.tif 000004
【図３】
0003098852.tif 000005
【図４】
0003098852.tif 000006
【図５】
0003098852.tif 000007
【図６】
0003098852.tif 000008
【図７】
0003098852.tif 000009
【手続補正書】
【提出日】平成15年4月3日(2003.4.3)
【手続補正１】
【補正対象書類名】明細書
【補正対象項目名】実用新案登録請求の範囲
【補正方法】変更
【補正の内容】
【実用新案登録請求の範囲】
【請求項１】
長辺側２枚、短辺側２枚の計４枚のフラップを全て内側へ折り返すことにより側壁部をダンボール２枚の構成にして側面の強度と緩衝性を向上させ、さらに折り込んだフラップを底面からやや上の所から階段状に折り、これを組み合わせて固定することにより内部に中空部分を有する上げ底を形成、この上げ底部分で一升瓶６本が入ったダンボール箱を支え、搬送または移動中に地面に急激に下ろした際などに生ずる下からの衝撃を中空部分で吸収して中の一升瓶底部が破損することを防ぐ構造のかぶせ箱。
【請求項２】
四方の側壁をすべてダンボール板２枚で構成し、これにより請求項１記載の底面保護に加え側面からの衝撃も緩和して瓶下部を保護する構造のかぶせ箱。
【手続補正２】
【補正対象書類名】明細書
【補正対象項目名】０００６
【補正方法】変更
【補正の内容】
【０００６】
【課題を解決するための技術】
前項に記載した目的を達成するために、まず第一に本考案はダンボールの一体成形とした。構造としては長辺側フラップを折り返し、先端部を階段状に折り込むことによって構成される長辺側中空上げ底一対、短辺側フラップを長辺側とほぼ同様に折り込むことによって構成される短辺側中空上げ底一対からなり、短辺側中空上げ底の先端を長辺側中空上げ底に開けたスリットに差し込むことにより長辺側、短辺側ともに上げ底部分を安定させ強度を保つ。
またフラップを折り返したことによって側壁部はすべて２枚重ねの構造となり、さらに側壁頂部に入れた切り込みによって構成された折り込み部分を折り返すことにより、当該かぶせ箱より小さい底面積の一升瓶６本入りダンボール箱でも粘着テープ等を使わず固定できる構造とした。